(57)【要約】  【課題】安定性の良い偶力を利用して複数の発電機を駆動したり、風力発電が可能な風力を微風から強風まで可能な限り拡大し、風力をより有効利用可能とする。  【解決手段】風力又は風車の回転速度を検出し、その結果に応じて増速比率に切り換えてから、発電機の前段の通常の増速機を増速する。又は、弱い風力でも駆動可能な小型の発電機に切り換えたり、複数の風車の出力を合成して発電機を駆動してもよい。【選択図】図１
2012233470.tif 000002
【特許請求の範囲】
【請求項１】
風力が強くないことを検出した場合に、風力が強い場合に比べて、強くない場合の増速比率を大きくするか、駆動する発電機を減らすか又は強くない風力でも駆動可能な小型の発電機に切り換えるか又は複数の風車の出力を合成することでより少ない数の発電機を駆動することによって、１又は複数の発電機を駆動することを特徴とする風力発電機の駆動方法。
【請求項２】
風力が強くないことを検出した場合に、風力が強い場合に比べて、強くない場合の増速比率を大きくするか、駆動する発電機を減らすか又は強くない風力でも駆動可能な小型の発電機に切り換えるか又は複数の風車の出力を合成することでより少ない数の発電機を駆動することによって、１又は複数の発電機を駆動することを特徴とする風力発電機の駆動装置。
【請求項３】
水平軸型風車の出力軸に傘歯車を設けると共に前記傘歯車を挟むように傘歯車を垂直向きに互いに対向するように一対配置し、
少なくとも前記一対の傘歯車の間に発電機を駆動する傘歯車を配設することを特徴とする請求項２に記載の風力発電装置の伝達機構。
【請求項４】
一対の大径傘歯車の内側に小径傘歯車を固設し、
前記一対の大径傘歯車は風車側の傘歯車と、また前記の小径傘歯車を発電機側の傘歯車とそれぞれかみ合わせることを特徴とする請求項２に記載の風力発電装置の伝達機構。
【請求項５】
鉛直軸型風車の出力軸に傘歯車を垂直向きに配設すると共に前記傘歯車と対向する傘歯車を配置して発電機を駆動するか風車を連結し、
しかも前記一対の傘歯車の間に発電機を駆動するか又は風車で回転する傘歯車を配設することを特徴とする請求項２に記載の風力発電装置の伝達機構。
【請求項６】
一対の大径歯車の内側に小径傘歯車を連結すると共に鉛直軸型風車で駆動する構造において、
前記小径傘歯車を発電機側の傘歯車とかみ合わせ、一対の大径歯車の間の大径歯車を発電機又は水平軸型風車と連結することを特徴とする請求項２に記載の風力発電装置の伝達機構。
【請求項７】
アップウインド方式の風車と対向する位置にダウンウインド方式の風車を設けるか及び／又は鉛直軸型風車を複数設けて、複数の風車で発電機を駆動する構造であることを特徴とする請求項２に記載の風力発電装置の伝達機構。
【発明の詳細な説明】
【技術分野】
【０００１】
本発明は、偶力を利用した伝達機構、特に歯車手段による偶力を利用した伝達機構並びに風力発電が可能な風力を微風から強風まで可能な限り拡大し、風力をより有効に発電機の駆動に利用可能とする伝達機構に関する。
【背景技術】
【０００２】
風力発電装置が各種発売されており、今後広く実用化が期待されているが、１台の風車で１台の発電機しか駆動できないのが実状である。１台の風車で用途に応じた各種の発電機を複数台駆動できると重宝される。特に強風時のように風力が強い場合は、複数の発電機を駆動することが望まれる。
【先行技術文献】
【特許文献】
【０００３】
【特許文献１】特開2004−124771
【特許文献２】特開2006−46306
【特許文献３】特開2005−248939
【発明の概要】
【発明が解決しようとする課題】
【０００４】
風車の種類として特許文献１のようなプロペラ型風車が代表する水平軸型と特許文献２のようなシャイロミル型風車などの垂直軸風車とに大別できる。また、水平軸型風車の回転を垂直に設置した発電機で発電するには、特許文献３のように傘歯車などで方向変換する必要がある。
しかしながら、方向変換する場合に、１対の傘歯車だけで行なうと安定性が悪く、安定した発電が不可能で、偶力を利用した伝達機構が安定よく円滑に発電できる。従って、特に１台の風車で複数台の発電機を駆動する場合は、偶力の利用が望まれる。
本発明の技術的課題は、このような問題に着目し、複数台の発電機を駆動する場合に、安定性の良い偶力を利用して伝達可能とすることにある。
化石燃料を使用しない、最後の手段として、原子力発電が実用化されているが、トラブルが発生した場合は大事に至る危険をはらんでいるので、原子力発電の見直しが必至である。このような状況を考慮すると、風力をより有効に活用することが望まれる。
しかしながら、風車の羽根の角度を調節しながらでも３ｍ／ｓ〜２５ｍ／ｓ位しか利用できないので、特に風力の弱い夏期でも発電機が充分に駆動されるような工夫か必要となる。例えば、風力が弱くなると、増速比率を大きくしたり、小型の発電機に切り換えるか、複数の風車でより少ない発電機を駆動すること等も肝要である。
本発明の第二の技術的課題は、このような問題に着目し、風力発電が可能な風力を微風から強風まで可能な限り拡大し、風力をより有効利用可能とすることにある。
【課題を解決するための手段】
【０００５】
請求項１は、風力が強くない場合を検出手段で検出した場合に、風力が強い場合に比べて、強くない場合の増速比率を大きくするか又は強くない風力でも駆動可能な少数の発電機に減らすか、小型の発電機に切り換えるか又は複数の風車の出力を合成することでより少ない数の発電機を駆動することによって、１又は複数の発電機を駆動することを特徴とする風力発電機の駆動方法であり、請求項２は、風力が強くない場合を検出手段で検出した場合に、風力が強い場合に比べて、強くない場合の増速比率を大きくするか又は強くない風力でも駆動可能な少数の発電機に減らすか、小型の発電機に切り換えるか又は複数の風車の出力を合成することでより少ない数の発電機を駆動することによって、１又は複数の発電機を駆動することを特徴とする風力発電機の駆動装置である。
つまり、請求項１は方法の発明であるのに対し、請求項２は装置すなわち物の発明である。そして何れの請求項も、風力又は風車の回転速度を検出し、その結果に応じて増速比率を切り換えてから、発電機の前段の通常の増速機を増速する。なお、風車の回転速度の検出はどの部位で行なってもよい。また、弱い風力でも駆動可能な少数の発電機に減らすか、複数の風車の出力を合成して一つの発電機を駆動してもよい。これらの具体的な実施形態は各図で示している。
【０００６】
請求項３は、図６のように、水平軸型風車の出力軸に傘歯車を設けると共に前記傘歯車を挟むように傘歯車を垂直向きに互いに対向するように一対配置し、
少なくとも前記一対の傘歯車の間に発電機を駆動する傘歯車を配設することを特徴とする請求項２に記載の風力発電装置の伝達機構である。前記一対の傘歯車には、発電機を連結して駆動してもよいし、風力発電用の風車を連結して弱風でも発電可能にしてもよい。
【０００７】
請求項４は、図８のように、一対の大径傘歯車の内側に小径傘歯車を固設し、
前記一対の大径傘歯車は風車側の傘歯車と、また前記の小径傘歯車を発電機側の傘歯車とそれぞれかみ合わせることを特徴とする請求項２に記載の風力発電装置の伝達機構である。前記一対の大径傘歯車は、発電機を連結して駆動してもよいし、風力発電用の風車を連結して弱風でも発電可能にしてもよい。
【０００８】
請求項５は、図９のように、鉛直軸型風車の出力軸に傘歯車を垂直向きに配設すると共に前記傘歯車と対向する傘歯車を配置して発電機を駆動するか風車を連結し、
しかも前記一対の傘歯車の間に発電機を駆動するか又は風車で回転する傘歯車を配設することを特徴とする請求項２に記載の風力発電装置の伝達機構である。
【０００９】
請求項６は、図10のように、一対の大径歯車の内側に小径傘歯車を連結すると共に鉛直軸型風車で駆動する構造において、
前記一対の小径傘歯車を発電機側の傘歯車とかみ合わせ、一対の大径歯車の間の大径歯車を発電機又は水平軸型風車と連結することを特徴とする請求項２に記載の風力発電装置の伝達機構である。
【００１０】
請求項７は、図７のように、アップウインド方式の風車と対向する位置にダウンウインド方式の風車を設けるか及び／又は鉛直軸型風車を設けて、複数の風車で発電機を駆動する構造であることを特徴とする請求項２に記載の風力発電装置の伝達機構である。
【発明の効果】
【００１１】
請求項１、２によると、風力又は風車の回転速度を検出し、その結果に応じて増速比率を切り換えてから、発電機の前段の通常の増速機を増速したり、弱い風力でも駆動可能な小型の発電機に切り換えるか、少数の発電機に減らすか、複数の風車の出力を合成してより少数の発電機を駆動するので、強風によって高速回転する場合も、弱風で低速回転する場合も発電でき、可能な限り発電範囲を拡大し、風力をより有効利用することが出来る。
【００１２】
請求項３によると、すべての傘歯車が、１か所だけでなく、１８０度離れた２箇所で駆動したり駆動されたりするので、偶力を発生したり、偶力で安定良く駆動されることになる。従って、微風や弱風でも風力発電したい場合に適している。
【００１３】
請求項４によると、一対の大径の傘歯車は、外側の大径傘歯車で駆動力を受け、内側の一対の小径傘歯車で発電機を駆動するので、より速く負荷を駆動できる。一対の大径傘歯車の軸を発電機と連結すると、より多くの発電機を駆動できるし、風車と連結すると、微風や弱風でも発電可能となる。
【００１４】
請求項５のように鉛直軸型風車で駆動する場合も、すべての傘歯車が、１か所だけでなく、１８０度離れた２箇所で駆動したり駆動されたりするので、偶力を発生したり、偶力で安定良く駆動されることになる。また、図９のように多くの発電機を駆動したり、微風や弱風でも駆動可能としたり、選択肢が増える。
【００１５】
請求項６のように、外側の大径傘歯車で鉛直軸型風車による駆動力を受け、内側の小径傘歯車で発電機を駆動するため、より大きな負荷を駆動できる。また、外側の大径傘歯車でも負荷を駆動した場合は、多くの発電機を駆動でき、風車と連結した場合は、微風や弱風でも発電可能となる。
【００１６】
請求項７によると、アップウインド方式の風車と対向する位置にダウンウインド方式の風車を設けてあるので、ダウンウインド方式の風車の力によっても発電できる。ダウンウインド方式の風車と鉛直軸型風車を設けて、複数の風車で発電機を駆動する構造も可能であり、ダウンウインド方式の風車に代えて鉛直軸型風車を設けてもよい。ダウンウインド方式の風車に代えて鉛直軸型風車を設ける場合は、傘歯車をさらに増やして方向変換する。
【図面の簡単な説明】
【００１７】
【図１】風力発電が可能な風力を微風から強風まで可能な限り拡大するために、弱風用と強風用の比率の切り換え装置の実施形態の断面図である。
【図２】比率の切り換え装置を平歯車で実現した実施形態の側面図である。
【図３】２台の水平軸型風車で１台の発電機を偶力を利用して駆動する例の平面図である。
【図４】２台の鉛直軸型風車で１台の発電機を偶力を利用して駆動する例の側面図である。
【図５】歯車に代えてタイミングベルトを用いた例を示す正面図である。
【図６】水平軸型の風車で発電機を駆動する実施形態を示す側面図である。
【図７】水平軸型の前後の風車で発電機を駆動する実施形態を示す側面図である。
【図８】大小の傘歯車で負荷を駆動する実施形態を示す側面図である。
【図９】垂直軸型の風車で発電機を駆動する実施形態を示す側面図である。
【図１０】垂直軸型の風車で作動する大小の傘歯車で負荷を駆動する実施形態を示す側面図である。
【発明を実施するための形態】
【００１８】
次に本発明による伝達機構が実際上どのように具体化されるか実施形態を詳述する。図１は、風力発電が可能な風力を微風から強風まで可能な限り拡大するために、２種の増速手段を配設する実施形態の断面図である。
風力発電機は、風力で回転する風車と、風車の回転数を発電機の駆動に適した回転数に増速する増速機と、発電機とに分けられる。本発明の、風力に応じて風車速度を２分する装置は、風車と前記増速機との間に設けられる。
【００１９】
図１の実施形態は、風車１の回転軸２で回転される小径傘歯車６１と大径傘歯車６２とを有し、それぞれの傘歯車６１、６２で回転される増速傘歯車７１、７２を有している。増速傘歯車７２は増速比率の低い低比率用であるのに対し、増速傘歯車７１は増速比率の高い高比率用である。
大径の低比率用の増速傘歯車７２は、その大径軸部７３に円筒状の電磁石Mg１を固設すると共に、小径の高比率用の増速傘歯車７１の小径軸部７４が貫通するように電磁石Mg２、Mg３を筒状に構成してある。
【００２０】
電磁クラッチ手段を成す電磁石Mg２、Mg３も電磁石Mg１と同様に円筒状ないしドーナツ状に形成され、外側はコイルｃが巻回してあり、その内側にボビン状の鉄芯ｉを有している。ただし、両側の電磁石Mg１、Mg３は、内側の鉄芯ｉが外側のコイルｃと独立して回転可能であり、かつ図の左側の電磁石Mg１の鉄芯ｉは低比率用の大径軸部73に固定され、また図の右側の電磁石Mg３の鉄芯ｉは高比率用の小径軸部74にそれぞれ固定されている。なお、小径軸部74は、磁束の漏れにくい非磁性体とする。
真ん中の電磁石Mg２は、その鉄芯ｉが外側の回転円筒８と固定されており、回転円筒８の右端はスプライン軸８１になっていて、発電機前段の増速機と連結される。
前記の回転円筒８の内外に配設してあるのは導電性のブラシＢ…であり、前記の回転円筒８の内外面に設けた円筒状の導電性の電極にバネ圧で圧接している。なお、内側のブラシＢ…は電磁石の各コイルｃ…の両端と接続され、外側のブラシＢ…は電源に接続されている。電源のオン・オフは、風車の回転速度の検出器９から出力される検出信号Ｓで制御される。
【００２１】
いま、例えば１０ｍ以下の弱風が吹いているとすると、風車の回転速度が低いために高い比率で増速しないと発電機をカットインできないので、検出信号Ｓによって図の右端の電磁石Mg３の電源がオンされ、必要が有れば真ん中の電磁石Mg２は逆極性となるように通電される。その結果、真ん中の電磁石Mg２が右端の電磁石Mg３に吸引され、吸着される。
そのため、真ん中の電磁石Mg２を介して回転円筒８が高比率で回転され、スプライン軸８１を介して増速機が駆動され、発電機が定格の１５００rpm 〜１８００rpm で駆動されて発電が行われる。
【００２２】
１０ｍ以上の強風が吹いて、風車の回転速度が高いために低い比率で増速したい場合は、検出信号Ｓによって図の左端の電磁石Mg１の電源がオンされ、必要が有れば真ん中の電磁石Mg２は逆極性となるように通電されるので、真ん中の電磁石Mg２が左端の電磁石Mg１に吸引、吸着される。その結果、真ん中の電磁石Mg２を介して回転円筒８が低比率で回転され、スプライン軸８１を介して増速機が駆動され、発電機が定格の１５００rpm 〜１８００rpm で駆動されて発電が行われる。
なお、スプライン軸８１の左右動が円滑でない場合は、増速機と発電機との間にもＯＮ／ＯＦＦ用のクラッチ手段を介在させて、電磁石Mg１〜Mg３による切り換え時のみ発電機の駆動力を遮断してもよい。公知のブレーキで、風車自体の回転を止めてもよい。
【００２３】
真ん中の電磁石Mg２は、磁力を発生するコイルに代えて、永久磁石を利用したり、左右の電磁石Mg１、Mg３に吸着される磁性体を用いることもできる。
また、風車自体の回転速度を検出器９から出力させる代わりに、カップ型風速計やエーロベーンの出力を信号Ｓとして利用してもよい。信号Ｓで自動的に比率を切り換える代わりに、手動で切り換えることもできる。
風車速度を２分して用いるための歯車増速手段のうち、片方の増速手段の増速比率はゼロでも差し支えない。例えば、低比率用の増速手段の歯車を同じ径にして、増速も減速も不能とする。
【００２４】
図２は風車の回転速度を平歯車で２分する実施形態とブラシを使用しない実施形態の側面図である。図１の場合と同様に、風車１の回転軸２で回転される大径平歯車１１と小径平歯車１２とを有し、それぞれの平歯車１１、１２で回転される増速平歯車１３、１４を有している。増速平歯車１４は増速比率の低い低比率用であるのに対し、増速平歯車１３は増速比率の高い高比率用である。
なお、比率の切り換え装置は、ブラシレスの実施例である。
【００２５】
以上の構成において、検出器９から出力される検出信号Ｓで制御されるクラッチ手段は、電磁クラッチに限られず、流体クラッチなども有る。
なお、夏期のように風速が弱くなったら、公知のブレーキ手段で風車の回転を止めてから、高比率の増速手動に手動で切り換えることも可能である。
【００２６】
図１のようにブラシが摺動する実施形態に代えて、ブラシレスも可能である。すなわち、図２のように、左端のみ電磁石Mg１とし、真ん中の電磁石Mg２に代えて永久磁石から成る連結リングとし、右端の電磁Mg３に代えて磁性体又は永久磁石から成る高比率リングとする。そして、磁力だけでは力の伝達が困難な場合を想定して、凹凸で回転力を伝える構造を採っている。
いま、１０ｍ以上の強風が吹いて、風車の回転速度が高いために低い比率で増速したい場合は、検出信号Ｓによって図の上端の電磁石Mg１の電源がオンされ、永久磁石リング７５と逆極性に磁化されると、永久磁石リング７５が吸引されると共に互いに凸が凹に嵌入して、回転円筒８が低比率で回転され、スプライン軸８１を介して増速機が駆動され、発電機が定格の１５００rpm 〜１８００rpm で駆動されて発電が行われる。
【００２７】
逆に、例えば１０ｍ以下の弱風になると、風車の回転速度が低いために高い比率で増速しないと発電機をカットインできないので、検出信号Ｓによって電磁石Mg１が逆極性すなわち永久磁石リング７５と同極性になるように通電され、互いに反発し合うと共に永久磁石リング７５が磁性リング７６に押し付けられて、互いに凸が凹に嵌入し、回転円筒８が高比率で回転される。
その結果、スプライン軸８１を介して増速機が駆動され、発電機が定格の１５００rpm 〜１８００rpm で駆動されて発電が行われる。
このように、比率の切り換え装置は、いろいろな実施形態が可能である。
【００２８】
図１、図２は１台の風車で１台の発電機を駆動するの対し、図３は２台の風車で１台の発電機を偶力を利用して駆動する例であり、風力が弱い場合に適している。
例えば、２台の風車１、１’の出力軸に取付けた歯車ｚ１、ｚ２で偶力を利用して駆動される歯車ｚ３を配設する。このように偶力で合成された出力軸２’’＝図１、図２の出力軸２である。
図４は、２台の鉛直軸型風車４、４’の出力軸に取付けた歯車ｚ１、ｚ２で偶力を利用して駆動される歯車ｚ３を配設した例である。
図５は、歯車に代えて、タイミングベルト１５、１６を用いた例であり、チエーンを代用することをできる。
【００２９】
次に図６は、水平軸型の風車１で３台の発電機Ｅ１〜Ｅ３を駆動する実施形態を示す側面図である。
鉛直軸型の傘歯車Ｚ１、Ｚ２は大径の傘歯車であり、互いに対向するように上下を向いている。また、Ｚ３、Ｚ４は、前記傘歯車Ｚ１、Ｚ２間に配設された傘歯車で、小径の傘歯車である。
【００３０】
そして、小径の傘歯車Ｚ３の回転軸を水平軸型の風車１の出力軸２は接続してあり、反対側の小径の傘歯車Ｚ４の出力軸を発電機Ｅ１の駆動軸３と接続してある。
発電機Ｅ２、Ｅ３のように、その駆動軸３を鉛直にできれば、大径の傘歯車Ｚ１、Ｚ２で発電機を駆動することもできる。
紙面と垂直方向の発電機を、手前方向と奥方向の２方向に配設して、大径の傘歯車Ｚ１、Ｚ２で駆動すれば、一つの風車で三つの発電機を駆動できる。
しかも、すべての歯車が１８０度異なる２位置で駆動力を受けるので、偶力で駆動されることになり、安定的にかつ小さい力で駆動されることになる。
【００３１】
この実施形態の場合、図７のように発電機Ｅ１に代えて、水平軸型の風車１’を出力軸２’を介して後部にも取付けるダウンウインド方式の風車を採用すると、各発電機の駆動力をより大きくすることができる。
発電機Ｅ２、Ｅ３に代えて、鉛直軸型風車を採用すると、風車が増えるので、微風でも発電可能となる。
【００３２】
図８は、大径の傘歯車Ｚ１、Ｚ２を内側の小径傘歯車Ｚ11、Ｚ21と外側の大径傘歯車Ｚ12、Ｚ22とに２分割した例である。
そして、大径傘歯車Ｚ12、Ｚ22が風車１側の大径傘歯車Ｚ30と、小径傘歯車Ｚ11、Ｚ21が発電機Ｅ５側の小径傘歯車Ｚ10とそれぞれかみ合っている。従って、一つの風車で三つの発電機を駆動できる。
このように、大径傘歯車Ｚ12、Ｚ22が風車１の回転力で駆動され、小径傘歯車Ｚ11、Ｚ21で発電機Ｅ５を駆動するので、より高速で駆動できる。
また、外側の大径傘歯車Ｚ12、Ｚ22でも発電機Ｅ２、Ｅ３を駆動する場合は、負荷を高速駆動できるという効果は無いが、負荷を増やすことはできる。なお、発電機Ｅ２、Ｅ３に代えて鉛直軸型の風車を設ければ、複数の風車の回転力を合成できるので、微風でも発電可能となる。
【００３３】
図９は鉛直軸型の風車４の出力で発電機を駆動する実施形態を示す側面図である。
傘歯車Ｚ１、Ｚ２は鉛直軸型の大径傘歯車で、互いに対向するように上下を向いており、Ｚ３、Ｚ４は、前記傘歯車Ｚ１、Ｚ２間に配設された小径の傘歯車である点は、図６と同じである。
【００３４】
そして、大径の傘歯車Ｚ１の中心の回転軸を鉛直軸型の風車４の出力軸５と接続してあり、反対側の大径の傘歯車Ｚ２の回転軸を発電機Ｅ６の駆動軸３と接続してある。
大径傘歯車Ｚ１、Ｚ２から偶力を受ける小径の傘歯車Ｚ３、Ｚ４で駆動される発電機Ｅ４、Ｅ５で発電されるが、紙面と垂直方向の発電機を、手前方向と奥方向の２方向に配設して、大径の傘歯車Ｚ１、Ｚ２の偶力で駆動することもできる。
このように、すべての歯車が１８０度異なる２位置で駆動力を受けるので、偶力で駆動されることになり、安定的にかつ小さい力で円滑に駆動される。
この実施形態の場合、発電機Ｅ６に代えて、鉛直軸型の風車（ただし、風車４とは逆回転）を取付けると、発電機の駆動力を大きくすることができる。発電機Ｅ４又はＥ５に代えて、水平軸型の風車を設けると、駆動力が更に大きくなり、微風でも発電可能となる。
【００３５】
図10は、大径の傘歯車Ｚ１、Ｚ２を内側の小径傘歯車Ｚ11、Ｚ21と外側の大径傘歯車Ｚ12、Ｚ22とに２分割した例である。
そして、大径傘歯車Ｚ12、Ｚ22が鉛直軸型の風車４、４’側と接続されるが、上側の大径傘歯車Ｚ12は上側の風車４で駆動され、下側の大径傘歯車Ｚ22は下側の逆転風車４’で駆動して、全体の駆動力を大きくすることも可能である。
【００３６】
一方、小径傘歯車Ｚ11、Ｚ21が発電機Ｅ５側の小径傘歯車Ｚ10と偶力が発生するように２箇所でかみ合っている。なお、前記のように、紙面と垂直方向の発電機を、手前方向と奥方向の２方向に配設することもできるが、この２方向の発電機を駆動する傘歯車は、Ｚ３０のような大径でもよいし、Ｚ１０のような小径でもよい。
このように、大径傘歯車Ｚ12、Ｚ22が鉛直軸型風車で駆動され、小径傘歯車Ｚ11、Ｚ21や外側の大径傘歯車Ｚ12、Ｚ22で発電機Ｅ５、Ｅ４を駆動するので、回転数や負荷の異なる発電機を駆動でき、負荷の数を増やすことで使い勝手が良くなる。
なお、発電機Ｅ４に代えて水平軸型の風車を設けると、駆動力が更に大きくなり、微風でも発電可能となる。
【００３７】
風車１、４、４’は模式図で小さく図示してある。また、垂直軸型風車４’に代えて、発電機を設けることも可能である。
各発電機の前段には通常、増速機が装備されるが、図示を省略してある。１〜３台の風車で複数の発電機を駆動する場合は、複数の発電機を駆動できるように、風車の駆動力と総ての発電機による負荷の大きさとのバランスを考慮することは言うまでもない。従って、複数の発電機を駆動する場合は、発電機は、弱い風力でも駆動可能な小型にならざるを得ない場合も有りうる。
図示のギヤーボックスは、４つの傘歯車を四角形に配置する例であるが、理論上は傘歯車を３つ配設した３角形や５個以上配設した５角形以上も可能である。
【００３８】
図６〜図10は風力をそのまま使用する図であるのに対し、風車１、１’、４、４’の出力軸２、５の出力端に図１、図２の２分装置を装備すると、より効率的に風力を利用できる。
また、図６〜図10で複数の発電機を駆動している際に、風速が低下して使用する発電機の数を減らすには、図１、図２のクラッチ手段を、信号Ｓでオフにして、使用を止める発電機を自動的に停止するか、又は手動で止めれば足りる。
風速が低下した場合に小型の発電機に切り換えるには、図６〜図10において、大型の発電機を止めて、小型の発電機を始動すれば足りる。前記の手法で、自動的又は手動で行われる。
【００３９】
図１、図２の２分気置は、鉛直の状態で使用すると、個々の部品が重力で下降する恐れが有るので、２分装置は水平の状態で使用するのが好ましい。従って、図２の平歯車を使用した２分装置を鉛直軸型風車に用いる場合は、傘歯車等を用いて、９０度方向変換することになる。
これに対し、図１の傘歯車を使用した２分装置は、軸２を立てれば、鉛直軸型の風車にも使用できる。
【００４０】
図３〜図１０では、風力が弱い場合は、他の風車の回転力をアシストに利用しているが、一旦蓄電池に蓄えておいて発電機の駆動に利用することも可能である。この場合の蓄電は、通常の風力で発電した蓄電池を利用してもよい。
また、風力発電装置を利用して蓄電した場合に限らず、太陽電池を利用して蓄電した蓄電池を利用して、風車の回転をアシストしてもよい。
従って、図３〜図１０における一部の風車や発電機に代えて、蓄電池で作動するモーターを利用して、他の風車の回転力が弱い場合にアシストすることもできる。
【産業上の利用可能性】
【００４１】
以上のように、本発明の歯車機構によると、複数台の発電機を駆動する場合に、安定性の良い偶力を利用して、かつ複数の負荷を駆動できるので、用途に応じた各種の負荷を駆動する場合に有効である。また、逆に複数の風車でより少ない発電機を駆動したり、風速や風車の回転速度を検出して、回転数の多い領域と多くない領域に２分すると共に、多い領域に比べて、多くない領域の増速比率を大きくするので、強風によって高速回転する場合も、弱風で低速回転する場合も発電でき、可能な限り発電範囲を拡大し、風力をより有効利用することが出来る。
【符号の説明】
【００４２】
１・１’  水平軸型の風車
２  水平軸型の風車の回転軸
３  発電機の駆動軸
４・４’  垂直軸型の風車
５  垂直軸型の風車の出力軸
Ｅ１〜Ｅ６  発電機
Ｚ１・Ｚ２  大径の傘歯車
Ｚ３・Ｚ４  小径の傘歯車
Ｚ11、Ｚ21  内側の小径傘歯車
Ｚ12、Ｚ22  外側の大径傘歯車
Ｚ10  発電機側の小径傘歯車
61  小径傘歯車
62  大径傘歯車
71・72  増速傘歯車
73  大径軸部
74  小径軸部
Mg１・Mg２・Mg３  電磁石
８  回転円筒（比率の切り換え装置）
81  スプライン軸
Ｂ  導電性のブラシ
９  風車の回転速度の検出器
Ｓ  回転信号
11  大径平歯車
12  小径平歯車
13・14  増速平歯車
15・16  タイミングベルト
【図１】
2012233470.tif 000003
【図２】
2012233470.tif 000004
【図３】
2012233470.tif 000005
【図４】
2012233470.tif 000006
【図５】
2012233470.tif 000007
【図６】
2012233470.tif 000008
【図７】
2012233470.tif 000009
【図８】
2012233470.tif 000010
【図９】
2012233470.tif 000011
【図１０】
2012233470.tif 000012
【手続補正書】
【提出日】平成23年11月7日(2011.11.7)
【手続補正１】
【補正対象書類名】特許請求の範囲
【補正対象項目名】請求項１
【補正方法】変更
【補正の内容】
【請求項１】
風力が強くないことを検出した場合に、
増速比の大きな歯車を選択すべく、増速比の大きな歯車の軸の回転を、回転円筒と連動するリングと磁力で吸着して伝動し、発電機を駆動することで、風力が強くない場合の増速比率を大きくするか又は複数の風車の出力を合成することで風車数より少ない数の発電機を駆動することによって、１以上の発電機を駆動することを特徴とする風力発電装置の伝達方法。
【手続補正２】
【補正対象書類名】特許請求の範囲
【補正対象項目名】請求項２
【補正方法】変更
【補正の内容】
【請求項２】
風力が強くないことを検出した場合に、
増速比の大きな歯車を選択すべく、増速比の大きな歯車の軸の回転を、回転円筒と連動するリングと磁力で吸着して伝動し、発電機を駆動することで、風力が強くない場合の増速比率を大きくするか又は複数の風車の出力を合成することで風車数より少ない数の発電機を駆動することによって、１以上の発電機を駆動する構造としたことを特徴とする風力発電装置の伝達機構。
【手続補正３】
【補正対象書類名】明細書
【補正対象項目名】０００５
【補正方法】変更
【補正の内容】
【０００５】
請求項１は、風力が強くないことを検出した場合に、
増速比の大きな歯車を選択すべく、増速比の大きな歯車の軸の回転を、回転円筒と連動するリングと磁力で吸着して伝動し、発電機を駆動することで、風力が強くない場合の増速比率を大きくするか又は複数の風車の出力を合成することで風車数より少ない数の発電機を駆動することによって、１以上の発電機を駆動する風力発電装置の伝達方法であり、
請求項２は、風力が強くないことを検出した場合に、
増速比の大きな歯車を選択すべく、増速比の大きな歯車の軸の回転を、回転円筒と連動するリングと磁力で吸着して伝動し、発電機を駆動することで、風力が強くない場合の増速比率を大きくするか又は複数の風車の出力を合成することで風車数より少ない数の発電機を駆動することによって、１以上の発電機を駆動する構造とした風力発電装置の伝達機構である。
つまり、請求項１は方法の発明であるのに対し、請求項２は物の発明である。そして何れの請求項も、風力又は風車の回転速度を検出し、その結果、風力が強くない場合すなわち風力が弱い場合は、増速比の大きな歯車を選択すべく、回転円筒と連動するリングと磁力で吸着して伝動し、発電機を駆動することで、風力が強い場合に比べて、強くない場合の増速比率を大きくする。このように、風力や風車の回転速度に応じて増速比率を切り換えてから、発電機の前段の通常の増速機で増速する。なお、風車の回転速度の検出はどの部位で行なってもよい。
また、複数の風車の出力を図３〜図10のように合成することで風車数より少ない数の発電機を駆動することによって、１以上の発電機を駆動することもできる。
【手続補正４】
【補正対象書類名】明細書
【補正対象項目名】００１１
【補正方法】変更
【補正の内容】
【００１１】
請求項１、２によると、風力又は風車の回転速度を検出し、その結果、風力が弱い場合は、増速比の大きな歯車を選択すべく、回転円筒と連動するリングと磁力で吸着して伝動し、発電機を駆動することで、風力が強い場合に比べて、弱い場合の増速比率を大きくしてから、発電機の前段の通常の増速機で増速したり、複数の風車の出力を合成して、風車数より少数の発電機を駆動するので、強風によって高速回転する場合も、夏場のように弱風の場合も発電でき、可能な限り発電範囲を拡大し、風力をより有効利用することが出来る。